(57)【要約】【課題】周辺環境に影響を及ぼすことなく使用済みスプレー缶の穿孔が可能にする。【解決手段】スプレー缶穿孔装置は、使用済みスプレー缶を横転させた状態で保持するスプレー缶保持機構と、前記スプレー缶保持機構で保持されたスプレー缶の下方に上下方向に進退可能に設けられ、下方から上方への突出により先端先鋭部で前記スプレー缶を穿孔する穿孔ピンと、前記穿孔ピンを上下動させる穿孔ピン駆動機構と、前記穿孔ピンの下方に設けられた液体回収部とを備える。【選択図】図２
2009274175.tif 000002
【特許請求の範囲】
【請求項１】
使用済みスプレー缶を横転させた状態で保持するスプレー缶保持機構と、
前記スプレー缶保持機構で保持されたスプレー缶の下方に上下方向に進退可能に設けられ、下方から上方への突出により先端先鋭部で前記スプレー缶を穿孔する穿孔ピンと、
前記穿孔ピンを上下動させる穿孔ピン駆動機構と、
前記穿孔ピンの下方に設けられた液体回収部と
を備えたことを特徴とするスプレー缶穿孔装置。
【発明の詳細な説明】
【技術分野】
【０００１】
本発明は、殺虫剤、消臭剤、塗料等の使用済みスプレー缶の廃棄処理に使用されるスプレー缶穿孔装置に関する。
【背景技術】
【０００２】
使用済みのスプレー缶には、液体及び残留ガスが残存しているため、これらの廃棄処理ではスプレー缶に小穴を空けて、残留ガスや液体を完全に廃棄しておく必要がある。しかし、一般には、スプレー缶に小穴を空ける作業は煩雑であると共に、着火、爆発等の事故が生じる可能性がある。
【０００３】
そこで、従来、使用済みスプレー缶に自動で小穴を空けるスプレー缶穴空け器が提案されている（特許文献１，２）。
【特許文献１】実開平６−６６９９７号公報
【特許文献２】特開平８−１３３３５７号公報
【発明の開示】
【発明が解決しようとする課題】
【０００４】
しかし、従来のスプレー缶穴空け器は、いずれもスプレー缶を横倒しにして、上から穿孔ピンで穿孔するものであるから、穿孔時に残留ガスや液体が上方に勢いよく噴き出して、周辺環境にガスをまき散らすという問題点があった。
【０００５】
本考案は、このような問題点に鑑みなされたもので、周辺環境に影響を及ぼすことなく使用済みスプレー缶の穿孔が可能なスプレー缶穿孔装置を提供することを目的とする。
【課題を解決するための手段】
【０００６】
本発明に係るスプレー缶穿孔装置は、使用済みスプレー缶を横転させた状態で保持するスプレー缶保持機構と、前記スプレー缶保持機構で保持されたスプレー缶の下方に上下方向に進退可能に設けられ、下方から上方への突出により先端先鋭部で前記スプレー缶を穿孔する穿孔ピンと、前記穿孔ピンを上下動させる穿孔ピン駆動機構と、前記穿孔ピンの下方に設けられた液体回収部とを備えたことを特徴とする。
【発明の効果】
【０００７】
本発明によれば、スプレー缶の下方から上方に突出する穿孔ピンによってスプレー缶を穿孔するので、液体はスプレー缶の下方に噴出し、噴出した液体は、穿孔ピンの下方に設けられた液体回収部で回収可能であるため、周囲環境にガスをまき散らすという問題を回避することができる。
【発明を実施するための最良の形態】
【０００８】
図１は本発明の実施形態に係るスプレー缶穿孔装置の正面から見た断面図、図２は同じく側面から見た断面図である。
【０００９】
容器１の内部には、使用済みスプレー缶２が搬送される搬送管３が設けられている。この例では、複数のスプレー缶２の同時処理が可能なように、複数（例えば５本）の搬送管３が並設されている。搬送管３は、一方の端部が使用済みスプレー缶２の投入口４となり、中央部が穿孔部５で、他方の端部が排出口６となっている。搬送管３の投入口４は、手動でスプレー缶をセットできるように大きめに開口されている。また、投入口４は、図示しないフィーダーを用いて使用済みスプレー缶が自動供給されるものでも良い。スプレー缶２の投入口４から穿孔部５への搬送、及び穿孔部５から排出口６への搬送は、安全性を考慮して図示しない搬送機構により行うことが望ましい。
【００１０】
搬送管３の穿孔部５の上部には、上方に缶挟持機構７が設けられ、下方には穿孔機構８が設けられている。
【００１１】
缶挟持機構７は、搬送管３の上方に配置された上部支持板１１と、この上部支持板１１に形成された孔１２と搬送管３に形成された孔１３を上下方向に貫通するバー１４と、搬送管３の内部でバー１４の下端に連結された円弧断面を有する押さえ板１５と、バー１４の上端に装着されたバネ止め１６と、上部支持板１１と押さえ板１５の間及び上部支持板１１とバネ止め１６の間にそれぞれ装着されたバネ１７，１８とを備えて構成されている。この缶挟持機構７と搬送管３の底面とで使用済みスプレー缶２を横転させた状態で上下に保持するスプレー缶保持機構が構成される。
【００１２】
一方、穿孔部５の下側に配置された穿孔機構８は、搬送管３の下方に配置された下部支持板２１と、この下部支持板２１に高さ調整可能に装着され、搬送管３の底部に形成されたスリット孔２４を上下に貫通する上部を先鋭部とする穿孔ピン２２，２３とを有する。穿孔ピン２２，２３は、スプレー缶２の側面の高さ方向２箇所に穿孔するため、スプレー缶２の側面に沿った２箇所に設けられている。
【００１３】
上部支持板１１と下部支持板２１とは、搬送管３と直交する方向に延び、その両端で、上下方向に延びるラック３１，３２及び３３，３４とそれぞれ連結されている。ラック３１，３２とラック３３，３４とは、歯車部分が互いに向き合い、その間にピニオン３５，３６及び３７，３８が歯合されている。ピニオン３５，３６は、モータ３９によって回転駆動され、これにより上下の支持板１１，２１が上下方向に近づく方向及び遠ざかる方向に移動するようになっている。下部支持板２１の駆動に関係する部分は、穿孔ピン駆動機構を構成している。
【００１４】
容器１の内部の穿孔部５の下側には、液体回収箱４０が設けられている。この液体回収箱４０には、例えば布、活性炭等の液体吸収体（不図示）が収容されている。
【００１５】
更に、容器１の上部には、図示しないガス処理装置に連通するガス排出部４１が設けられている。
【００１６】
以上のように構成されたスプレー缶穿孔装置によれば、投入口４から投入され、穿孔部５に搬送された使用済みスプレー缶２は、モータ３９が回転することによってピニオン３５，３６が図２の時計回りに回転する。この結果、ラック３１，３２は下降し、ラック３３，３４は上昇する。これにより、押さえ板１５が下降してスプレー缶２を搬送管３の底部にバネ１７のバネ圧によって押し付け、同時に穿孔ピン２２，２３が上昇して図２に示すように、スプレー缶２の下面が穿孔される。このとき、スプレー缶２の内部に残存するガス、液体は、搬送管３の底部に形成されたスリット孔２４を介して下方に噴出し、液体回収箱４０の内部に収容される。
【００１７】
よって、この実施形態によれば、周囲環境に影響を及ぼすことがない。
【図面の簡単な説明】
【００１８】
【図１】本発明の一実施形態に係るスプレー缶穿孔装置の正面から見た断面図である。
【図２】同装置の側面から見た断面図である。
【符号の説明】
【００１９】
１…容器、２…使用済みスプレー缶、３…搬送管、４…投入口、５…穿孔部、６…排出口、７…管挟持機構、８…穿孔機構、１１…上部支持板、１４…バー、１５…押さえ板、２１…下部支持板、２２，２３…穿孔ピン、３１〜３４…ラック、３５〜３８…ピニオン、３９…モータ、４０…液体回収箱。
【図１】
2009274175.tif 000003
【図２】
2009274175.tif 000004